Podtech/llm-jp-corpus-v4-ja_patent huggingface dataset:
(57)【要約】【課題】  リード線を使用せずに直接コンデンサと基板をハンダ接合する構成において、ハンダ接合部以外にコンデンサの保持部材を持たないものでは振動に弱く、テープ等で基板に貼り付けるものではそのテープ単価や貼り付け作業でのコストが発生するといった課題があった。【解決手段】  コンデンサと、少なくともストロボ発光回路を実装した基板を備え、前記コンデンサの端子部を前記基板に直接電気的に接合する構成であり、前記コンデンサは保持部材により固定され、該保持部材は前記基板が取り付けられる部材に設けられている。【選択図】  図１
2007010874.tif 000002
【特許請求の範囲】
【請求項１】
回路基板と充電用のコンデンサとを有するストロボ装置において、前記コンデンサの端子部分は前記回路基板に直接電気的に導通可能に固着され、前記コンデンサの本体部分は前記基板が取り付けられる部材に保持部材により、保持されるようにしたことを特徴とするストロボ装置。
【請求項２】
前記基板が取り付けられる部材には、前記コンデンサの位置決め部材が設けられていることを特徴とする請求項１に記載のストロボ装置。
【請求項３】
前記位置決め部材は、コンデンサの端子部分を用いて位置決めされることを特徴とする請求項２に記載のストロボ装置。
【請求項４】
前記基板が取り付けられる部材には、電池収納室が形成されていることを特徴とする請求項１乃至３のいずれかに記載のストロボ装置。
【発明の詳細な説明】
【技術分野】
【０００１】
本発明は、カメラに用いられるストロボ装置に関する。
【背景技術】
【０００２】
従来のストロボ装置においては、コンデンサを本体側に保持し、コンデンサが接続される基板も本体側に保持し、コンデンサとその基板の接合にはリード線を使用するというものが一般的であった。また、リード線のコストを削減する目的として、ストロボ発光用コンデンサ端子部を直接基板にハンダ接合する構成においては、特許文献１のようにハンダ接合部以外にコンデンサの保持機構を持たないものや、コンデンサをテープ等で基板に貼り付けるといった構成が一般的であった。さらに、コンデンサ保持部材によりコンデンサを基板側に保持するものが特許文献２に開示されている。
【特許文献１】特開２００２−３２８４１５号公報
【特許文献２】特開２００１−００５０６２号公報
【発明の開示】
【発明が解決しようとする課題】
【０００３】
このように、リード線を使用せずに直接コンデンサと基板をハンダ接合する構成において、ハンダ接合部以外にコンデンサの保持機構を持たないものでは振動に弱く、テープ等で基板に貼り付けるものではテープ自身の単価やその貼り付け作業でのコストが発生するといった欠点があった。さらに、コンデンサを基板側に保持するものでは、基板の板厚が薄いために安定した保持が困難であるという欠点があった。
【課題を解決するための手段】
【０００４】
本発明のストロボ装置は、回路基板と充電用のコンデンサとを有するストロボ装置において、前記コンデンサの端子部分は前記回路基板に直接電気的に導通可能に固着され、前記コンデンサの本体部分は前記基板が取り付けられる部材に保持部材により、保持されるようにしたことを特徴とする。
【発明の効果】
【０００５】
本発明のストロボ装置によれば、コンデンサと基板とを接合するリード線を廃止することができ、かつ接合部が振動に強く、テープ等の別部品を必要としないのでコストの抑制に効果が得られ、安価な機器が提供可能となる。
【発明を実施するための最良の形態】
【０００６】
以下、本発明の実施例について図面を参照しながら説明する。
【実施例１】
【０００７】
図１は、本発明における各部品組み付け前の分解斜視図である。図２は、各部品組み付け後の全体斜視図である。図１において、まず本体の主フレームとなる電池収納室１に対し、コンデンサ３を矢印Ａ方向に組み付ける。ここで図３は、図１をＡ方向から見た図であり、図４はその断面図である。図４に示すように、電池収納室１にはコンデンサ３が組みつけられるようにコンデンサ３の外形形状に合わせた凹部１ｂを設けている。次に、回路基板２を電池収納室１に組み付ける。この回路基板２は、ビス等で電池収納室１に固定されることになる。この際、回路基板２に設けたハンダ接合部２ａのスルーホールに、コンデンサ端子部３ａを通しながら回路基板２を電池収納室１に取り付けることになる。この作業の効率を上げるために、コンデンサ位置決め部材１ａを、電池収納室１に設けると良い。本実施例では、図５に示すように略Ｕ字型のリブを形成し、このリブにコンデンサ端子３ａ部を嵌合させた位置決め形状としている。前記凹部１ｂを用いることでＥ方向の位置を決定し、更にこのＵ字型のリブを用いて図５の回転方向Ｂと軸方向Ｄが位置決めできるため、回路基板２の取り付け時には、コンデンサ３を回転方向Ｂに寄せるだけで取り付けることが可能となる。
【０００８】
図６に示すように、回路基板２を電池収納室１に取り付けた後、コンデンサ端子３ａと回路基板２をハンダを用いて電気的に接合し、更にコンデンサ保持部材４を、コンデンサ３を挟み込むように電池収納室１へ取り付ける。このコンデンサ保持部材４については、この保持機能のみを目的とした部品を用いるのではなく、他の部品の一部に共用する形で形成すると良い。本実施例ではストロボユニットの部品に前記保持機能を持たせることで、部品のコストを抑制している。
【０００９】
このように、コンデンサ３と回路基板２とを直接電気的に接合することでリード線のコストを抑えられ、更にコンデンサ３を本体の主フレームである電池収納室１と、ストロボ発光ユニットで挟み込むように固定することで振動に強く、テープ等が不要になりコスト抑制に効果が得られる。
【００１０】
次に、コンデンサ位置決め形状１ａの別の手段について説明する。前記実施例では略Ｕ字型の位置決め部材を設けたが、これをＵ字ではなくコンデンサ端子径の円形状で位置を決めても良い。この場合はコンデンサ３をその円形の中心線方向即ちＥ方向に取り付けられるような構成にし、位置を決定することになる。この場合は、コンデンサ３をＥ方向へ寄せてストロボ基板２を組み付けることになる。これらの位置決め形状は、スペースの関係に応じて形状を決定すれば良い。また、上記実施例ではコンデンサ端子３ａは略９０度曲がった形状で説明しているが、スペースに余裕があれば略直線形状等で形成してもかまわない。
【図面の簡単な説明】
【００１１】
【図１】組み付け前の分解斜視図。
【図２】組み付け後の全体斜視図。
【図３】電池収納室にコンデンサを組み付けた状態を表した図。
【図４】図３の矢視断面図。
【図５】位置決め部材を説明するための部分斜視図。
【図６】電池収納室にコンデンサと基板を組み付けた状態を示した斜視図。
【符号の説明】
【００１２】
１  電池収納室
１ａ  コンデンサ位置決め部材
２  回路基板
３  コンデンサ
３ａ  コンデンサ端子
４  コンデンサ保持部材
【図１】
2007010874.tif 000003
【図２】
2007010874.tif 000004
【図３】
2007010874.tif 000005
【図４】
2007010874.tif 000006
【図５】
2007010874.tif 000007
【図６】
2007010874.tif 000008
(57)【要約】【課題】  射撃場の銃弾によって引き起こされる鉛汚染は周りの環境を著しく破壊する。銃弾の劣化によって鉛が地面に溶出し動植物及び地下水の鉛汚染が危惧されている。【解決手段】  銃弾が劣化して鉛が直接地盤に溶出する事による地下水の汚染を防ぎ、風水害による鉛汚染も防止するために、地面に一体構造のユニットを設置する。又、雨水等が直接土壌に落ちないよう雨水感知器を設け自動スライドする天蓋装置と排水装置によって土壌の流水溶出を防ぐ。土壌には重金属吸着剤を含ませ溶出する鉛を吸着する。又、排水の循環装置を設け濾過、並びに重金属吸着剤を加水し土壌に散布する、これにより重金属吸着剤の吸着効果を持続させる。又、天蓋装置は雨が降っていなくても任意に開閉でき、未使用時には射撃場を覆い動植物の鉛汚染を防止する。【選択図】    図１
2007010302.tif 000002
【特許請求の範囲】
【請求項１】
標的射撃場に一体型ユニットを、連結セットする事によって鉛汚染を防ぎ周りの環境を破壊しない装置。
【請求項２】
天蓋装置に雨水感知器を取り付け、雨水を感知したら自動で防水シートがスライドし覆いする。又、雨が上がった時点で自動巻取りする天蓋装置。
【請求項３】
ユニットにパッキン、及び水返し、又排水溝を設け土壌を通過した雨水が設置地面に浸透しない構造のユニット。
【請求項４】
集水した水を重金属吸着剤による鉛汚染の防止と沈殿濾過装置に循環装置を設け土壌に散布する循環装置。
【請求項５】
標的に上下スライド装置を設け任意の位置が設定できる、標的スライド装置。
【請求項６】
ユニットを横に連結する事によって、任意に標的の数を増やせる、標的ユニット。
【請求項７】
跳弾防止板が上下レールによって固定され、簡単に取り外せる跳弾防止板固定装置。
【発明の詳細な説明】
【技術分野】
【０００１】本発明は射撃場における、鉛弾による土壌の環境陂壊を防ぎ、天蓋装置によって雨水等による地下水の鉛汚染又粉塵汚染、並びに鳥獣等の採食行動によって引き起こされる鉛中毒被害を防ぐ射撃場の環境汚染防止装置に関するものである。
【背景技術】
【０００２】従来射撃場において落下した鉛弾の回収等は行なわれておらず、放置状態が続いている、この事により土壌に落下した鉛弾の腐食等による鉛汚染が環境を破壊し、動植物の生態系に及ぼす重大な影響が危惧されている。
【発明の開示】
【発明が解決しようとする課題】
【０００３】発明が解決しようとする課題は落下した鉛弾の劣化による風水害汚染と土壌に溶出する鉛による土壌汚染の停止。又、劣化した鉛弾による地下水汚染の停止と鉛弾の定期的な回収。【０００４】そこで本発明の目的は射撃場の標的部と弾の落下部分を金属又はコンクリート又は硬質樹脂によって、形成したユニットによって標的部と弾の落下部分とが一体構造と成り、水の浸透を防ぐ。又、ユニット床面に重金属吸着剤を含ませた土壌を敷き、落下した鉛弾の土壌汚染を防ぐ。標的壁面裏に天蓋装置を設け雨水、風を防ぎ環境汚染を防止する。コニットを横に連結することによって射撃する人数等は自由に設定することが出来る。
【課題を解決するための手段】
【０００５】前記目的を達成して課題を達成するため本発明に係る射撃場鉛弾環境汚染防止装置は、壁と床が一体構造で形成され、壁面には銃弾の跳ね返りを防ぐために木製の跳弾防止板、裏に金属板がセットされている。これにより銃弾が金属部で跳ね返され木部で止る。又一部の銃弾が床面に落下しても重金属吸着剤を含んだ土壌に拠って鉛による汚染を防ぐ。
【発明の効果】
【０００６】鉛弾によって引き起こされる環境破壊を防ぐ為、本発明は床と壁面が一体構造に成っており直接地面に鉛弾が落ちない。ユニットを連結する事によって大きな射撃場にも対応出来る。連結ユニットは雨水等が地下浸透しないよう排水側溝と水の循環システムから成っている。又床面の土壌には重金属吸着剤を含ませ、落下した鉛弾による汚染を防ぐ。雨水等が土壌を流さない様に雨水感知器が装備された天蓋装置がユニット毎にセットされている。
【発明を実施するための最良の形態】
【０００７】      以下、添付図面に基づいて本発明の実施例を説明する。
図１は、本発明に係る射撃場鉛弾環境汚染防止装置の一例を示す物である。この処理装置はコンクリート又は金属又は樹脂で形成し１のユニットの木製跳弾防止板その裏に金属板５がセットされている。銃弾か標的を打ち抜いた時３の跳弾防止板を貫通５の金属板で跳ね返されるが、銃弾は３の跳弾防止板によって壁面外部に跳ね返されることは無い。【０００８】１のユニット壁面裏側に１０の天蓋装置が取り付けてある。この天蓋装置には１８の雨水感知器がセットされている。雨水を感知すると内部に収納されている１２の防水シートを１５，１６、のガイドレール内部のワイヤーによって引き出され、１のユニット上部を蓋い雨水が２０の重金属吸着剤を含ませた土壌に落ちない。【０００９】又１のユニットには２３の水返しと２５の排水溝が形成されており、雨水等が２０に落ちても雨水が地盤に浸透することは無い。
【実施例】
【００１０】図２は本発明に使用する射撃場鉛弾環境汚染防止装置の一例である，本体１の壁面裏側に雨水防止装置１０を取り付け、１８の雨水感知器によって２０の重金属吸着剤を含ませた土壌への流水を防ぐ。又１のユニットは横に連結することが出来る、連結部はパッキン等によって連結部からの水の漏洩を防ぎ、地盤に浸透させない。１のユニットには２３水返し２５の排水溝が形成され連結した時、雨水等は一方に集水される。【００１１】集水された雨水等は２６の配管を通して、３０の沈殿槽に流れる。３０の沈殿槽には重金属吸着剤が入った薬剤が鉛等の重金属を吸着する。上水は３３の循環ポンプによって３５の濾過層を経由し、重金属吸着剤が配合加算され、３５内部のポンプにより１７，１９のガイドレール下部に設けられたノズルにより２０の土壌に噴霧される。【００１２】２の標的は３の標的上下調整レールによって任意の高さに調整出来る。又３の跳弾防止板は５の金属板の上下に設置されている固定レールによって固定し簡単に取替えが出来る。
【産業上の利用可能性】
【００１３】以上説明したように本発明に係る射撃場鉛弾環境汚染防止装置は、床、壁、一体構造で地下水の鉛汚染を防ぎ、天蓋装置の設置により風水害による、動植物の鉛汚染の防止、又跳弾防止板の簡単な取替え、標的の上下調整、雨水沈殿濾過装置による土壌自動散布装置等、標的射撃場だけでなくクレー射撃場等にも利用できる装置である。
【図面の簡単な説明】
【００１４】
【図１】本発明に係る射撃場鉛弾環境汚染防止装置の一例を示す斜視図である。
【図２】本発明に係る射撃場鉛弾環境汚染防止装置の一例を示すユニット組み立て斜視図である。
【符号の説明】
【００１５】１    ユニット本体
２    標的
３    跳弾防止板
５    金属板
１０  天蓋収納装置
１２  雨水防止天蓋シート
１５  天蓋シートガイドレール
１６  天蓋シートガイドレール
１７  天蓋シートガイドレール
１８  雨水感知器
１９  天蓋シートガイドレール
２０  重金属吸着剤を含む土壌
２３  水返し
２５  排水側溝
２６  排水パイプ
３０  沈殿槽
３３  循環ポンプ
３４  循環パイプ
３５  濾過タンク
【図１】
2007010302.tif 000003
【図２】
2007010302.tif 000004
(57)【要約】【課題】畑わさびの未利用部分である葉および葉柄に、生活習慣病の予防に役立つ機能性を見出すこと。【解決手段】畑わさびの辛味成分が遊離しないよう、葉および葉柄部分を完全乾燥し、加熱により酵素失活、均一な紛体化、無水状態での溶媒抽出、遠心分離と膜濾過、そして減圧下濃縮を行うことで、体脂肪抑制効果を有する畑わさび抽出物を得る。【特許請求の範囲】
【請求項１】
畑わさびの葉または葉柄の乾燥物を無水溶媒で抽出することで得られる抽出物を有効成分とする、体脂肪抑制剤。
【発明の詳細な説明】
【技術分野】
【０００１】  本発明は、畑わさび抽出物を有効成分とする体脂肪抑制剤に関するものである。
【背景技術】
【０００２】  わさびに関する研究は進んでおり、わさびの種々のからし油成分による抗菌作用、抗カビ作用、抗虫作用、抗ガン作用、抗血栓作用や、わさび抽出物による消化管吸収促進作用、抗下痢作用、骨増強作用などがすでに知られている。わさびはアブラナ科の多年草であり、栽培方法により沢わさびと畑わさびとに分けられる。わさびは香辛料原料として用いられているが、その際用いられるのは沢わさびの根茎および畑わさびの根茎であり、特に畑わさびの葉や葉柄の部分は、産業的には多くの場合廃棄されているのが現状である。【０００３】  高機能性であるわさびといえども、全体を利用せずに廃棄物を出してしまうことは現代社会の目標となるゼロエミッションとは相反するため、未利用部分である畑わさびの葉および葉柄部分の有効活用法の開発が望まれている。【０００４】  一方、日本人の死因を見ると第一位が悪性新生物で、次いで心疾患、脳血管疾患が多く、このことは肥満症や高血圧症、高脂血症などの生活習慣病を患う中高年者や小児の増加に関連しているといえる。特に肥満症は高血圧症や高脂血症に合併していく可能性が高いため、これらの生活習慣病の予防には肥満や高コレステロール血症の状態にならぬよう日常摂取する食品に注意することが大切である。【０００５】  現在、肥満や高コレステロール血症の予防の目的で、種々の特定保健用食品が販売されている。このような特定保健用食品に関与する成分には、例えば体脂肪をつきにくくするジアシルグリセロールや中鎖脂肪酸、コレステロールの吸収を抑制する植物ステロールや大豆蛋白質、低分子アルギン酸ナトリウム、サイリウム種皮由来食物繊維などがある。また体脂肪を燃焼しやすくする成分としては緑茶カテキンなどがある。【０００６】  このような機能性をもった食品成分や素材が畑わさびの葉および葉柄の部分にも見出されれば、畑わさびの未利用部分が産業的に有効活用されるものと期待されるが、未だ需要の高い機能性の発見は種々のからし油成分以外には見出されていないのが現状である。
【特許文献１】特開２００５−１４３３９１号公報
【特許文献２】特開２００５−０４７８２２号公報
【特許文献３】特開２００３−０８１８２０号公報
【特許文献４】特開平１０−２７９４９２号公報
【発明の開示】
【発明が解決しようとする課題】
【０００７】  解決しようとする問題点は、畑わさびの葉および葉柄部分に辛味成分以外で肥満や高コレステロール血症の予防に寄与する機能性が見出されていない点である。
【課題を解決するための手段】
【０００８】  わさびの効用を得るための手段としては水と有機溶媒による加水抽出が主となっており、これまでに発見されている有効成分もからし油に由来するものが多かった。そこでわさびの葉および葉柄部分より抽出を行うに当たっては辛味成分の加水分解による遊離がないよう加熱した上で非加水抽出を行い、からし油由来の辛味成分を除いた新規抽出物を調製し、体脂肪抑制作用を有するかどうか鋭意研究を行った。その結果、本抽出物に体脂肪抑制効果のあることを見出した。【０００９】  本発明は、畑わさびから無水状態で有効抽出物を得、それが体脂肪抑制作用を有することを最も主要な特徴とする。
【発明の効果】
【００１０】  本発明により、畑わさびの未利用部分に付加価値を付与するとともに、本発明による有効成分を食品、健康食品、保健機能食品、医薬部外品に配合して摂取することにより、現在多くの日本人の健康維持と生活習慣病予防のために必要とされている肥満の防止に役立てることができる。
【発明を実施するための最良の形態】
【００１１】  畑わさびの未利用部分となっている葉または葉柄部分を完全乾燥、紛体化、非加水抽出することで、生活習慣病の予防に役立つ体脂肪抑制効果のある有効成分含有抽出物を得ることができる。次に本発明を具体的に説明するため実施例を掲げるが、本発明はこれらによって限定されるものではない。
【実施例】
【００１２】  畑わさびの葉および葉柄６０ｋｇを天日干しにより乾燥させ、さらに電気低温乾燥機により７５℃で６時間加熱した後、さらに１０５度で３０分間の加熱を行い、完全乾燥と酵素失活を行った。得られた畑わさび乾燥物をミルを用いて粉砕し、８０メッシュの金網を通して均一な粉体とした。【００１３】  上述で得られた粉体に対して５〜１０倍量の無水メタノールで還流下９時間の連続抽出を行った後、２５０×ｇで２０分間遠心分離を行い油層を除去した。残渣の溶液を５μｍの膜フィルターで濾過し、得られた濾液の溶媒を減圧下留去して乾固物約４８ｇ（試料１）を得た。【００１４】  上述で得られた試料１を４週齢のＷｉｓｔｅｒ系ラット（日本クレア株式会社）２４匹を用いた次のような実験に供した。ラットの飼育は室温２３±２℃、湿度５０±５％、１２時間ごとの明暗サイクル（明：７〜１９時）の環境下で行った。実験は「実験動物の飼養および保管に関する基準」（昭和５５年３月、総理府告示第６号）を遵守して行った。ラット用基本飼料にラードを２０％添加した負荷食餌を用意し、この負荷食餌に試料１を２％添加したものと添加しないものとを調製し、それぞれを２群のラットに自由摂取の形で与えて３週間飼育を行った。そして飼育３週間後に両群のラットの体重増加量と腹腔内脂肪量を測定し、両群間で有意差検定を行ったところ、体重増加量、腹腔内脂肪量とも試料１添加食餌摂取群のほうが危険率５％で有意に少ない数値となった。すなわち試料１の摂取により、体重増加および体脂肪増加が有意に抑制される効果が得られた。なお、両群の３週間における食餌摂取総量に有意差は認められなかった。
【産業上の利用可能性】
【００１５】  本発明による畑わさび抽出物を得ることで、畑わさびの未利用部分の活用が可能となり、わさび加工産業のゼロエミッションに貢献できるとともに、その抽出物の体脂肪抑制効果は日本人の健康維持、生活習慣病の予防に役立つことから、日本人の医療費削減への貢献も期待できる。
(57)【要約】【課題】段ボール箱を運ぶ時、取っ手がなく抱えるしかなかった。このような課題を解決するために本発明品を提供する。【解決手段】荷造りテープ等テープに取っ手の形を破線で打ち抜き、力を入れて破れば取っ手になるようにした。通常のテープとして使えて、かつ必要な時に取っ手として使えるなど、大変重宝である【選択図】図３
2007246164.tif 000002
【特許請求の範囲】
【請求項１】
テープ状になった取っ手。
【発明の詳細な説明】
【技術分野】
【０００１】この発明は、荷造りテープ等テープに取っ手を破線で打ち抜き、必要な時に破線を破り取っ手として使用できるものである。
【技術背景】
【０００２】従来は、このようなテープはなかった。
【発明の開示】
【発明が解決しようとする課題】
【０００３】段ボール箱を運ぶ時、取っ手がなく抱えるしかなかった。
【課題を解決するための手段】
【０００４】荷造りテープ等テープに取っ手の形を破線で打ち抜いた。荷造りや段ボール箱を運ぶ時など必要な時に破線を破り、取っ手として使用できるようにした。
【発明の効果】
【０００５】段ボール箱を運ぶ時、取っ手がなく抱えるしかなかったが、本発明品を使えば通常のテープとして使えて、破線を破けば取っ手として使えるなど大変重宝である。
【発明を実施するための最良の形態】
【０００６】以下、本発明の実施の形態について説明する。
イ荷造りテープ等テープに取っ手の形を破線で打ち抜いた。
ロ巻物にし、切り離して使えるようにした。
【実施例１】
【０００７】荷造りテープ等テープに取っ手の形を破線で打ち抜き、通常はそのまま荷造りテープとして使えるが力を入れて破線を破れば取っ手になるようにした。
【図面の簡単な説明】
【０００９】
【図１】形態図である。
【図２】テープ巻き図である。
【図３】使用図である。
【符号の説明】
【０００９】１テープ
２破線の打ち抜き
３巻きテープ
４取っ手
【図１】
2007246164.tif 000003
【図２】
2007246164.tif 000004
【図３】
2007246164.tif 000005
(57)【要約】【課題】小さなばらばらの品物を収容し、容易に梱包できる梱包容器を提供する。【解決手段】Ｖ字型に折り曲げられ、小さな寸法の物品を保持する一つあるいはそれ以上の透明な包袋を収容する二重紙板部材を備え、Ｖ字型に折り曲げられた紙板部材の前面がＶ字型に折り込まれ、それぞれの包袋のところに開口部を有し、その端部で封止される透明材の袋の中に挿入される梱包容器である。その透明材の袋は、開口部と反対側に、宛先と送付印紙を支持するために構成されたラベルを備える。【選択図】図２
2007246171.tif 000002
【特許請求の範囲】
【請求項１】
Ｖ字型に折り曲げられ、小さな寸法の品物を保持する一つあるいはそれ以上の透明な包袋（５、６）を含む二重紙板部材（１）を備え、該Ｖ字型に折られた紙板部材の前面は前記包袋の部分に複数の開口部（５、６）が設けられた梱包容器であって、前記開口部と反対側に宛先と送付印紙を支持するためのラベルを備え且つ封止端部（９、１０）を有する透明材の袋（８）の中に挿入されたことを特徴とする梱包容器。
【請求項２】
前記開口部（５、６）を有する連続した面Ｓに、画像、季節のあいさつ、あるいは、異なるタイプの図を掲載することを特徴とする請求項１記載の梱包容器。
【請求項３】
前記袋（８）は合成樹脂により形成され、前記封止端部（９、１０）としてシール端部を備えていることを特徴とする請求項１記載の梱包容器。
【請求項４】
前記袋（８）の前記開口部（５、６）と反対側にラベル（１１）が配置され、はがき型の前記ラベル（１１）であって、製造業者の名前と住所、及び、収容されている製品の部品のリストとを記載するためのラベルゾーンを有し、さらに、前記ラベルが、送付印紙のための領域と、荷受人の宛先に使用する領域と、を有することを特徴とする請求項１記載の梱包容器。
【請求項５】
前記紙板部材１は、内側折込フラップ（２０）を有する上端領域を備え、該内側折込フラップ（２０）に、前記包袋（２）の上端部を受け止める接着領域を備えることを特徴とする請求項１記載の梱包容器。
【請求項６】
前記袋（８）が、封止することが可能な熱溶融材料で形成されていることを特徴とする請求項１記載の梱包容器。
【請求項７】
前記紙板部材（１）は打抜きで形成され、前記フラップ（２０）と反対側の内側に、前記透明な包袋（２）の前記上端部を密封するための接着層を有する面を備えていることを特徴とする請求項５記載の梱包容器。
【発明の詳細な説明】
【技術分野】
【０００１】
本発明は、出荷のための梱包容器に関する。
【背景技術】
【０００２】
封筒に封入された挨拶カードを送るのと同様に、封筒のない挨拶状あるいは、はがきを送ることは、従来例からもよく知られている。
【０００３】
一方、はがき、あるいは、挨拶状と一緒に、小さな贈り物、あるいは、便利な日用品を送ることは、知られていない。
【発明の開示】
【発明が解決しようとする課題】
【０００４】
本発明の課題は、小さなばらばらの品物を収容し、容易に梱包できる梱包容器を提供することである。
【課題を解決するための手段】
【０００５】
本発明によると、梱包容器は、Ｖ字型に折り込まれ、小さな寸法の品物を保持する一つあるいはそれより多くの包袋をその中に有する二重紙板部材であり、そのＶ型に折られた紙板部材の前面は、その包袋の前方に開口部を備える。このように作られた梱包容器は、封止端部を有する透明材料による袋内に挿入され、その袋は、開口部と反対側に宛先と送付印紙を支持するようデザインされたラベルを備える。
【０００６】
以下の記述と図と請求範囲から、本発明の更なる特徴を示す。
【０００７】
図１に示すように、本発明による梱包容器は、Ｖ字型に折り曲げられた打抜きによる紙板部材１を備える。
【０００８】
この紙板部材１の内側に、接着剤によって、透明材料で形成された複数の包袋２が、所望の距離で貼り付けられ、ばらばらの品物の形状の品物３、４を保持するようデザインされている。
【０００９】
特に、包袋２内の品物３、４は、小さなキャンディ、小さなボールのような製品、ベリー、茶葉、アロマ、スパイス、種、他の小さな食べ物、比較的小さな寸法のばらばらの品物である。
【００１０】
梱包容器すなわち紙板部材１は、包袋２内の品物が容易に見えるように、それぞれ窓を形成する複数の打抜きによる開口部５、６を、下部に備える。
【００１１】
開口部５、６の連続する表面Ｓは、装飾的な絵、季節の挨拶、あるいは異なった種類の図を保持するようにデザインされている。
【００１２】
図２に示すように、打抜き紙板部材１は、Ｖ字型形状で、包袋２を内部に収容し、開口部５、６を備える。紙板部材１は、合成樹脂の包袋８内に納められる。この包袋８は、封止端部９、１０のような密閉端部を有する。
【００１３】
分かり易くするため、図２において、密閉端部９、１０は、閉じて密閉された状態に描かれていない。
【００１４】
袋８は、開口部６、７と反対側に製造業者の名前と住所を書き込む領域を有するはがきのようなラベル１１を配置する。さらに、このラベルは、製品の部品と、そこに収容された製品の使用方法とを記載した領域を有する。また、このラベルは、送付印紙を貼るための小さな範囲を有し、荷受人の宛先を取り付ける領域を備えている。
【００１５】
図３は、紙板部材１を示している。紙板部材１が、下部に開口部５、６を有し、さらに、印刷されたものを搭載するための前面Ｓを備えていることが明確に示されている。紙板部材１の内側に、記号３、４で示されたばらばらの品物を収容する包袋２を見ることができる。包袋２を正確な位置に間違いなく配置するために、打抜きの紙板部材１の上端は、包袋２の上端部と糊付けされる内側折込フラップ２０を備える。
【００１６】
図３に示すように、紙板部材１の前面Ｓは、梱包作業が適切に行われた後、矢印ｆにより示された方向に、すなわちフラップ２０に向かって、折りたたまれる。そして、その組立られたものが、熱シール合成材料で形成された袋内８に納められ、その袋の両端部がシールされる。
【００１７】
紙板部材１のフラップ２０の反対側の面には、水平方向の帯状の接着部が設けられ、それぞれの透明の包袋の上端部が容易に素早く接合され、上記のフラップ２０が強固に取り付けられる。
【００１８】
二つ以上の開口部を備えることが可能な、このように形成された梱包容器は、よく見える状態に異なる品物を保持するように、絵や、挨拶、ことわざなどを記すために残された面を活用することが可能であり、透明なフィルムで覆われた反対側に、送付印紙の領域を梱包容器にあらかじめ持たせ、荷受人の宛先をそこに配置することも可能である。
【図面の簡単な説明】
【００１９】
【図１】本発明による梱包容器の正面図である。
【図２】図１の線II−IIに沿った梱包容器の断面図である。
【図３】梱包容器の内部を示すよう、図１の線III−IIIに沿った梱包容器の断面図である。
【符号の説明】
【００２０】
１      紙板部材
２      包袋
３、４  品物
５、６  開口部
８      袋
２０    折込フリップ
【図１】
2007246171.tif 000003
【図２】
2007246171.tif 000004
【図３】
2007246171.tif 000005
(57)【要約】      （修正有）【課題】有害ガスの発生が無く、かつ、 200℃程度の廃熱で、簡単にＰＶＣなどの廃棄物から水素やメタンなどの燃料ガスを発生できる手法を提供する。【解決手段】ＰＶＣ（ポリ塩化ビニール）廃棄物にＣａＯなどの酸化物を添加して粉砕処理し、ＰＶＣ中の塩素をＣａＯによって固定化し、その後、その産物を200℃程度で加熱することによる、有害ガスの発生も無く、水素やメタンガスの燃料ガスを発生させる方法。【選択図】図１
2007246681.tif 000002
【特許請求の範囲】
【請求項１】
ＰＶＣ（ポリ塩化ビニール）を酸化物と混合し、常温で粉砕（メカノケミカル処理）しＰＶＣを脱塩素化し、しかる後に、その産物を２５０℃以下の温度に加熱することを特徴とするＰＶＣの常温脱塩素処理産物からの燃料ガスの発生方法。
【請求項２】
前記酸化物が、ＣａＯであることを特徴とする請求項１に記載のＰＶＣの常温脱塩素処理産物からの燃料ガスの発生方法。
【請求項３】
前記ＰＶＣが、廃棄ポリ塩化ビニール成形品のものであることを特徴とする請求項１または２に記載のＰＶＣの常温脱塩素処理産物からの燃料ガスの発生方法。
【発明の詳細な説明】
【技術分野】
【０００１】
本発明は、ＰＶＣの常温脱塩素処理産物から低温加熱により水素やメタンなどの燃料ガスを発生させることに関するものである。
【背景技術】
【０００２】
従来、水素などのガス発生法には加熱法、触媒法、電気分解法などがある。いずれも優れた方法であるが、装置と操作に一定の工夫が必要であり、必ずしも容易ではない。原料には種々の材料が用いられるが、本発明に対抗するとすればＰＶＣがあり、これから水素やメタンガスなどを発生させるにはその分解温度以上での加熱が必要になる。しかし、この加熱法では有害な塩化水素ガスが発生し、これを除去する必要があるし、温度は最低でも250℃以上必要である。
【０００３】
また、ＰＶＣをＣａＯなどと混合し、常温で粉砕（メカノケミカル処理）すると、ＰＶＣは脱塩素されることが知られている（例えば、特許文献１）が、この先行文献はメカノケミカル処理後に水洗濾過し、固体残渣と水溶性塩化物を再利用するものあり、水洗工程や分離工程が煩雑であるという問題点がある。
【０００４】
【特許文献１】特開平１１−１２４４６３号公報
【発明の開示】
【発明が解決しようとする課題】
【０００５】
本発明の目的は、本発明は、有害ガスの発生が無く、かつ、 200℃程度の廃熱で、簡単にＰＶＣなどの廃棄物から水素やメタンなどの燃料ガスを発生できる手法を提供することにある。
【課題を解決するための手段】
【０００６】
本発明によれば、ＰＶＣ（ポリ塩化ビニール）を酸化物と混合し、常温で粉砕（メカノケミカル処理）しＰＶＣを脱塩素化し、しかる後に、その産物を２５０℃以下の温度に加熱することを特徴とするＰＶＣの常温脱塩素処理産物からの燃料ガスの発生方法得られる。
【０００７】
また、本発明によれば、前記酸化物が、ＣａＯであることを特徴とするＰＶＣの常温脱塩素処理産物からの燃料ガスの発生方法が得られる。
【０００８】
また、本発明によれば、前記ＰＶＣが、廃棄ポリ塩化ビニール成形品のものであることを特徴とするＰＶＣの常温脱塩素処理産物からの燃料ガスの発生方法が得られる。
【発明の効果】
【０００９】
ＰＶＣとＣａＯを混合して室温で粉砕すると、メカノケミカル反応が起こり、炭化水素とＣａＯＨＣｌが生成する。これで、ＰＶＣ中の塩素（Cl）はＣａＯＨＣｌとして固定され安定になる。一方、ＰＶＣからClを取り去った残りの炭化水素は、結合状態が緩くなり、容易に熱分解する。ここで、通常のＰＶＣの熱分解温度は最低でも250℃であるが、上記の脱塩素後の炭化水素では200℃程度でも容易に熱分解し、水素やメタンガスを発生する。従って、本発明により、有害ガスの発生も無く、水素やメタンなどの可燃性ガスが発生が可能である。
【発明を実施するための最良の形態】
【００１０】
以下、本発明の実施の形態について説明する。本発明者の知見に依れば、ＰＶＣ廃棄物にＣａＯを添加して粉砕処理し、ＰＶＣ中の塩素をＣａＯによって固定化し、その後、その産物を200℃程度で加熱するだけで、有害ガスの発生も無く、簡単に水素やメタンガスを発生できる。これらのガスは発電用エネルギーであり、簡単にコジェネレーションシステムが構築できる。図1には、粉砕と加熱操作のフローを示す。
【実施例１】
【００１１】
ＣａＯを脱塩素材として使用した場合（加熱過程でのキャリアガス：Heガス）まず、ＰＶＣとＣａＯの混合物を遊星ミルにより粉砕する。このときのＣａＯの添加割合は、少なくてもＰＶＣ中のCl全量を固定するに必要な量とする。勿論、ＣａＯ添加率が多いほど脱塩素率が上がるが、混合物量を一定とする場合はＰＶＣ量は少なくなる。また、粉砕処理時間が長いほど脱塩素率は向上するが、最適値があり、それを考慮し、ここでは1〜4時間処理する実験とした。室温で粉砕操作にもかかわらずＰＶＣ−ＣａＯ間での固相反応が生じ、生成物はＣａＯＨＣｌ（塩化物）と有機物（ＰＶＣから塩素が除去されたもの）となる。この混合物を200℃程度に加熱しても、ＣａＯＨＣｌは分解しないので、塩素ガス発生はない。一方、有機物（ＰＶＣ）から塩素が除去されたもの）は塩素がないし、結合もダメージを受けており、容易にH2ガスなどが生成しやすい状態になっている。
【００１２】
加熱操作においては、廃熱を利用することを考えると、温度は２５０℃以下であり、雰囲気の制御は重要である。発生するガスの分析ではキャリアガスとしてHeガスを用い、一定流量で実験した。なお、実用化する場合は、真空または窒素ガス雰囲気が望ましい。
【００１３】
ＣａＯを脱塩素材として用いた場合の粉砕処理の有無によるガス発生状況をHeガスをキャリアガスとしての分析結果を表１にしめした。
【表１】
2007246681.tif 000003
【実施例２】
【００１４】
実施例１ではＣａＯ（脱塩素材）について説明したが。ＣａＯの代わりにLa2O3などでも同様の効果が得られる。La2O3を脱塩素材として用いた場合の粉砕処理の有無によるガス発生状況を表２に示した。キャリアガスはHeガスである。
【表２】
2007246681.tif 000004
【００１５】
表１および２から明らかに、本発明の方法によれば、燃料として有用なEthyleneガス、Ethaneガス、Propyleneガス、Propaneガスが得られることがわかる。
【図面の簡単な説明】
【００１６】
【図１】図１は、本発明の粉砕と加熱操作のフロー図である。
【図１】
2007246681.tif 000005
(57)【要約】      （修正有）【課題】あらゆる分野の小口液体詰め瓶は、ドリンク剤用などの直接口を付けて飲むような物以外は振り出し孔とか絞り出しノズルとかが大概付いて居る。しかし、実際に使用するにおいては、全て全く目分量で行かねばならず、昔、一合升なら一合廾に取って置いて、使用量を可なり正確に目分量していたのに比べて見ても、不正確さは、却って増しているの観がある。【解決手段】各種の洗剤や各種の化粧品や各種の薬品や各種の食品などの、即席振り出し孔あるいはノズル付き各種液体詰め容器を、恰も、使用量計量目盛り付き容器を便利にしたかのように、それぞれの容器の内容物に向いた最低使用量が一押しで以て計量できるようにしたノズル付きポンプを設けた容器に、目的の各種の液体を詰めて、必要なだけ何回かポンプを押して計量的に取り出せるようにした。【選択図】なし【特許請求の範囲】
【請求項１】
各種の洗剤や各種の化粧品や各種の薬品や各種の食品などの、即席取り出し孔あるいはノズル付き各種液体詰め容器を、恰も使用量計量目盛り付き容器を便利にしたかのように、それぞれの容器の内容物に向いた最低使用量が一押しで計量できるようにしたノズル付ポンプを設けた容器に、目的の各種の液体を詰めて、必要なだけ何回かポンプを押して計量的に取り出せるようにした、メジャー・ポンプ・ボトルドｍｅａｓｕｒｅ  ｐｏｍｐ  ｂｏｔｔｌｅｄと呼ぶことにする、各種計量小出しノズルポンプ付き容器詰め。
【請求項２】
「請求項１」における「各種計量小出しノズルポンプ付き容器詰め」を「計量小出しノズルポンプ」と「容器詰め」とに別々に分けて販売しうるようにして、計量小出しノズルポンプを何回も再使用して貰えるようにした、セパレート型各種計量小出しノズルポンプ付き容器詰め。
［発明の名称］    各種計量小出しノズルポンプ付き容器詰め
【発明の詳細な説明】
【発明の詳細な説明】
私は、昨年（１６年）の４月２６日近前、台所洗剤を切らして仕舞い、仕方なく資生堂の「ポンプ付ボディーソープ」を食器洗いに使用した。そこで、このポンプ付きボトルを台所洗剤に応用すると宜しいことに気づいた。
それまでの物には、ノズルから出る量を適正化すると言う思想が全く無かった。それは、何もこのポンプ付だけでは無く、全てのノズル付容器入りでは、故意に必要量をオーバーするようにしていたとさえ思われる嫌いがある。
この私のポンプ付では、一回の押しでノズルから出る量が一気に多量に成らないように適正に少量化して、各種の化粧品や食品や洗剤や薬品やその他において、万事に「計量的小出し使用」が適正に行なえるようにしたい。
例えば、私は、毎日、醤油を使用するが、その都度、メジャースプーンで軽量することは、中々困難である。この「計量小出しノズルポンプ付」では、一回の押し出し量が大体一定するので、メジャー付と言えるものになる。例えば、この料理に関しては、何押しすれば、適量であるか経験的に判るようになる、と言うように。勿論、これは、液体ファンデーションのような物に就いても言えるし、医院の水薬に就いても言える。瓶の目盛りを確かめながら適量を取り出すのは、中々面倒なことであった。
つまり、これは、何回押せば適量に成るかを、それぞれに就いて経験的に会得して貰えば、それは、これまでに無い、経済的で、美味しくとか、膚を痛め無くとか、均一にとか、の適正化に収斂する生活態度を身に付けて貰えることになろう
私は、毎日、コーヒーを嗜好しているが、まだ、少量用の秤に恵まれず、味が安定しないのであるが、それでも、コーヒー豆に含まれているカフェインの量から推した上限の豆量に適正な湯量でと努めて嗜むと大体において美味しい。
万事、生活を美味しくとか、楽しくとか、奇麗にとか、上等を目指すと言うことは、経験的に使用量の適正を知る所にある。これを、如何に、生活の広範に、短期間に、便利よく会得するかが、上等な生活や勤務の可能性を決定する。幾ら、年を取っても、単に馬齢を重ねているとしか見えない人も少なくない。経験を単位に分解してそれを公式に構成化して、その後の生活に、計量化の態度を取り入れることが出来なかったからである。何時も一からでは無く、ある熟達の状態に達すると、その維持・再現は、計量化生活で即応即席できる所以を経験の蓄積と言う。
本発明が可能な限り広範に普及することによって、上等な経済的な生活をより多くの人達に楽しんで貰えよう。
斯かるメジャー生活がより尊ばれるようはな、「猫の手も借りたい」程に、多忙な経済生活を送れる時代の近いことを毎日祈っては斯かる発明に精を出している。こう言う経済好況が、中々、実現しないのであるが、それもそう遠いことではあるまいと思われる。過去の同和対策時代の水平化生活意識がそれぞれ個々に分解を続けている。同和対策を獲得する為にはで結ばれていた連帯性が意義を失って仕舞ったからである。ポスト・同和時代への移行には、  ｓｏｃｉａｌ  ｉｎｔｅｇｒａｔｉｏｎ（社会的統合・融和政策）から解放されて、個人個人が自己が自主性のある単位であると自覚化すことが出来るようになることが先ず大切であるが、それが同和対策が無くなって自然の成りゆきとして、自然淘汰的に進行している。やがて、生産的な大きな単位にそれぞれが集約され、きっと「猫の手も借りたい自由な生産活動の可能な時代」へと突進して行くことを、私の膨大な数々の発明考案は約束しているのではあるまいか。
なお、同和対策時代は、対他国戦争なき国家資本主義の全体主義の時代であったのだなあとつくづく感じるように国民の大多数がなって来ている。自由主義は、大多数の憬れる新名望商品と言う玉を獲得した個人資本家とそれに対する憧憬を支え出す商業主義なくしては在りえない。ポスト社会主義の国々のように、日本においても、例えば、ＩＴ国家政策に沿った国家統合上の資本家だけが育つのでは無く、個々の発想が尊重され、個々の個人資本家を中心に国家統治を形成して行く方向線上に乗りつつある。それらの国々が社会主義ハッショから解放され、以前よりは遙に自由な成長発展の新時代を迎えているように、我国など自由諸国と呼ばれていた国も、同和ハッショ（物事の根本原理の理解できない人達をただ水平化のみを求めさせる主役に押し立てて烏合の衆的に国家予算に群がらせる政治手法の形態）の全体主義から解放され、以前よりハッショの無い即ち犯罪の無い遙に自由を約束する国家と国民性に脱皮して行かないと、旧社会主義国の経済・政治・社会の成長発展には付いて行けないことになり、それらの国々に年から年中貧困対策を乞い願う物乞い国と化して仕舞おう。現に、我国の支配階級が、如何に平気に強制的に私から乞食をしているかを、落ち着いて見聞すれば、日本陥没も遠い話とは一笑できまい。
あれだけ、日本にＯＤＡを物乞いしていた所謂後進国も、それは、一時代前の支配者の下級階級性による恥態であったと反省し、今や、先方から援助の依頼を持ちかける国は無くなった。過去の「恥の文化」は、それらの国々では、現在を雄々しく生きる歴史的刺としようとしている。
自国の誇れる、ｗｏｒｌｄ−ｗｉｄｅな新名望商品産業と艱難辛苦を玉とする勤勉な労働力とを国家の誇りとするを矜持とする支配者たらんとする人達（国家運営の責にある人達）が、相も変わらず同和主義的ハッショを唯一の居座り政策としている所謂先進国と言われた諸国に、新政治勢力として台頭してくることを、心から待望せずには居られない。
(57)【要約】【課題】冬場の雪の時期に、自動車のタイヤをタイヤ装着台に載せることでタイヤチェーンが容易に取り付けでき、且つ冬場以外の時期は宣伝用、又は安全対策用のぼり用のボックスとして、又は植木鉢を乗せる台としても一年中利用できるタイヤチェーン装着用ボックス兼用のぼりポールベース。【解決手段】再生合成樹脂又は材木等で台形の形状をしたボックスを設け、ボックスの両斜面下部にチェーンが入る溝を設ける、一方のチェーンが溝にはいるようにする、又台形のボックス上部の平面の適所に２個の穴を設け、冬場以外でも宣伝用のぼり用のポール台として、また、植木鉢の台としても利用できることを特徴とするタイヤチェーン装着用ボックス兼用のぼりポールベース。【選択図】図１
2007246064.tif 000002
【特許請求の範囲】
【請求項１】
合成樹脂あるいは材木等で製作された装着台の両斜面にチェーンが入る溝を設けたタイヤチェーン装着用ボックス兼用のぼりポールベース。
【請求項２】
合成樹脂あるいは材木等で製作された装着台の上部平面に２個の穴を設けた請求項１記載のタイヤチェーン装着用ボックス兼用のぼりポールベース。
【請求項３】
冬場の雪の季節には自動車のタイヤチェーン装着台として利用し、冬以外の季節には宣伝用、安全対策用のぼりポールベース又は植木鉢の台として１年中利用できる請求項１〜２記載のタイヤチェーン装着用ボックス兼用のぼりポールベース。
【発明の詳細な説明】
【技術分野】
【０００１】  本発明は、冬場の自動車のチェーン掛けボックスと兼用できるのぼりポールベースに関するものである。
【背景技術】
【０００２】  従来は、鎖状のタイヤチェーンは２本の長い鎖と十数本の短い鎖から構成され、または樹脂で構成された２種類のタイヤチェーンからなり、タイヤチェーン装着は、地面に敷きしめるか、ジャッキアップして、タイヤチェーンを車輪に巻きつけ装着していた。車庫での装着は容易であるが、外出時でのタイヤチェーン装着は、雪上、又は雪道であり、雪が降っているため容易ではない、タイヤチェーンを簡単に取り付ける取り付け装置が最近出願されているがまだ見当たらない。そして次のような公報が公開になっている。
【特許文献１】  特公平０７−７３９６５号公報
【特許文献２】  特許２９５６０１３号公報
【非特許文献１】  特開平０５−０３８９１０号広報
【非特許文献２】  実開平０６−０３９５１１号公報
【発明の開示】
【発明が解決しようとする課題】
【０００３】  それには次のような問題点があった。
（イ）タイヤチェーンを雪上、雪道でのチェーン装着は大変困難である。
（ロ）雪上、雪道でのジャッキーでの装着はジャツキーが安定せず大変危険である。
（ハ）タイヤチェーンを雪上に敷いての装着もなれないと大変難しい。
（ニ）従来のタイヤチェーン装着台の利用は冬場の雪の降る時期にしか使用できず、          無駄が多い。
（ホ）従来のタイヤチェーン装着台はチェーン装着しか使用できないため雪のない季          節は使いみちがない。
本発明は、以上の問題点を解決すためのものである。
【課題を解決するための手段】
【０００４】  合成樹脂の再生材、又は木材等の材料を使用し、台形形状に射出成形機で製作し、両斜面にタイヤチェーンが入る溝を設け、台形形状の上部平面部に２個の貫通した穴を設ける。合成樹脂製の内部を空洞にし、吸入口と排出口を設けて、水を入れて重くし宣伝用、安全をＰＲするための、のぼりのポールベースとしても利用できる。木材等は古い木材で容易に製作できる。
【発明の効果】
【０００５】  冬場の雪の時期に自動車のタイヤチェーン装着が容易にでき、冬季以外の雪のない季節にはボックスの上部が平面のため２個の穴に宣伝、安全用ののぼりのポールベースとして、あるいは植木鉢を乗せる台としても利用できる効果が期待できる。
【発明を実施するための最良の形態】
【０００６】  以下、本発明の実施の形態を説明する。
（イ）再生合成樹脂等を射出成形機で成形、又は材木などで台形の形状を設ける。
（ロ）台形の形状の両斜面の下部にタイヤチェーンが入る溝を設ける。
（ハ）溝つきの台形の上にタイヤチェーンを敷きしめ、一方の溝にタイヤチェーンを          乗せる。
（ニ）タイヤチェーンの他方は台形の上部に載せるだけでよい。
（ホ）タイヤチェーンを敷きしめた台形の上部平面部に自動車の車輪を載せる。
（ヘ）タイヤチェーンをタイヤに容易に装着できる。
（ト）冬場以外の雪のない季節には台形の上部２個の穴に宣伝用、安全用ののぼりを          立て、のぼり用のポールベースとして一年中使用できる。
（チ）又、植木鉢を乗せる台として花の観賞用としても使用できる。
本発明は以上の構成よりなっている。
【図面の簡単な説明】
【０００７】
【図１】  本発明の斜視図
【図２】  本発明の正面図
【図３】  本発明の平面図
【図４】  本発明の右側面図
【図５】  本発明のタイヤを乗せた使用状態を示す正面図
【図６】  本発明のチェーンを敷きしめた状態の斜視図
【図７】  本発明ののぼりポールベースとして使用する正面図
【符号の説明】
【０００８】    １  装着ボックス兼のぼりポールベース
２  斜面
３  チェーン用溝
４  ポール用穴
５  宣伝用のぼり
７  支持ポール
８  連結板又はチェーン
９  タイヤ
【図１】
2007246064.tif 000003
【図２】
2007246064.tif 000004
【図３】
2007246064.tif 000005
【図４】
2007246064.tif 000006
【図５】
2007246064.tif 000007
【図６】
2007246064.tif 000008
【図７】
2007246064.tif 000009
(57)【要約】【課題】    夜間、走行している自転車は他から見えづらく、ぶつかりそうになることを軽減するために、従来は、ベダルに反射板を取り付けることにより視認性を高めていたが、夜間、他から光をペダルに当てないとペダルが光らなかったため、歩行者等から見えずらいという難点を解消するために、ペダルを自己発光させることにより、より視認性を高めたペダルを提供する。【解決手段】    自転車のペダルの中に発電機、ＬＥＤを内蔵させ、ペダルを漕ぐと発電機が回り、発電機で発生した電気でＬＥＤを発光させることにより、自転車の視認性をより高めるようにする。【選択図】図１
2007246063.tif 000002
【特許請求の範囲】
【請求項１】
自転車のペダルの中に発電機、ＬＥＤを内蔵し、ペダルを漕ぐと発電機が回り、発電機で発生した電気でＬＥＤを発光させることを特徴としたペダル。
【発明の詳細な説明】
【技術分野】
【０００１】  本発明は、夜間、走行している自転車は他から見えづらく、ぶつかりそうになることを軽減するために、自転車のペダルの中に発電機、ＬＥＤを内蔵させ、ペダルを漕ぐと発電機が回り、発電機で発生した電気でＬＥＤを発光させることにより、自転車の視認性をより高めるようにしたものである。
【背景技術】
【０００２】  従来は、ベダルに反射板を取り付け、光が当たると反射光により視認性を高めていたが、自己発光するペダルはなかった。
【発明の開示】
【発明が解決しようとする課題】
【０００３】  従来は、ベダルに反射板を取り付けることにより視認性を高めていたが、夜間、他から光をペダルに当てないとペダルが光らなかったため歩行者等から見えずらいという難点があり、本発明は、この課題を解消するためになされたものである。
【課題を解決するための手段】
【０００４】  自転車のペダルの中に発電機、ＬＥＤを内蔵させ、ペダルを漕ぐと発電機が回り、発電機で発生した電気でＬＥＤを発光させることにより、自転車の視認性をより高めるようにした。
【発明の効果】
【０００５】  夜間、自転車を運転する場合、自転車の視認性を高めることができるため、自転車運転時の安全性をより高めることができる。
【発明の実施するための最良の形態】
【０００６】  以下、本発明の実施の形態を図１〜図２に基づいて説明する。
【０００７】  ベダル本体１の中に、発電機３、ＬＥＤ５を内蔵させる。
【０００８】  なお、発電機の内臓の実施形態として以下の実施形態がある。
【実施例１】
【０００９】  図１のように、発電機シャフト４をペダルシャフト２に直結し、発電機３の固定子側をペダル本体１に固定する。
【実施例２】
【００１０】  図２のように、発電機３の固定子側をペダル本体１に固定し、ペダルシャフト２に固定した歯車Ａ６と発電機シャフト４に固定した歯車Ｂ７を噛み合わせる。
【図面の簡単な説明】
【００１１】
【図１】  本発明の実施例１の外観図
【図２】  本発明の実施例２の外観図
【符号の説明】
【００１２】      １  ペダル本体
２  ペダルシャフト
３  発電機
４  発電機シャフト
５  ＬＥＤ
６  歯車Ａ
７  歯車Ｂ
【図１】
2007246063.tif 000003
【図２】
2007246063.tif 000004